【手続補正書】
【提出日】平成18年1月11日(2006.1.11)
【手続補正１】
【補正対象書類名】特許請求の範囲
【補正対象項目名】全文
【補正方法】変更
【補正の内容】
【特許請求の範囲】
【請求項１】
番組を受信する受信装置であって、
番組の録画の予約及び／又は視聴の予約を実行する設定手段と、
前記設定手段により実行された予約に係る情報を、該予約に係る録画又は該予約に係る視聴を実行する前に送信する送信手段と、
複数の受信装置における前記予約に係る情報に基づいて生成された、番組の予約状況に係る情報を受信する受信手段とを有し、
前記予約状況に係る情報は、番組の放送日前に前記複数の受信装置から収集した前記予約に係る情報に基づいて、当該番組の放送日における予約状況を予想した情報であることを特徴とする受信装置。
【請求項２】
番組を受信する受信装置であって、
番組の録画の予約及び／又は視聴の予約を実行する設定手段と、
前記設定手段により実行された予約に係る情報、及び予め設定されたユーザに関するプロファイル情報を、該予約に係る録画又は該予約に係る視聴を実行する前に送信する送信手段と、
複数の受信装置における前記予約に係る情報及び前記プロファイル情報に基づいて生成された、番組の予約状況に係る情報を受信する受信手段とを有し、
前記予約状況に係る情報は、前記複数の受信装置から収集した前記プロファイル情報に基づいて分類されたユーザグループ毎に予約状況を予想した情報であることを特徴とする受信装置。
【請求項３】
前記予約状況に係る情報は、番組の録画の予約及び視聴の予約に係る情報で夫々重み付けを行って予想されることを特徴とする請求項１または２に記載の受信装置。
【請求項４】
前記予約状況に係る情報は、放送予定の番組の特定の複数の時点における視聴予約及び録画予約の集計結果の変位により、当該番組の放送直前の視聴予約及び録画予約の状況を予想し、当該予想した予約状況を基に算出した予想視聴率であることを特徴とする請求項１または２に記載の受信装置。
【請求項５】
番組を受信する受信装置の制御方法であって、
番組の録画の予約及び／又は視聴の予約を実行する設定ステップと、
前記設定ステップにより実行された予約に係る情報を、該予約に係る録画又は該予約に係る視聴を実行する前に送信する送信ステップと、
複数の受信装置における前記予約に係る情報に基づいて生成された、番組の予約状況に係る情報を受信する受信ステップとを有し、
前記予約状況に係る情報は、番組の放送日前に前記複数の受信装置から収集した前記予約に係る情報に基づいて、当該番組の放送日における予約状況を予想した情報であることを特徴とする受信装置の制御方法。
【請求項６】
番組を受信する受信装置の制御方法であって、
番組の録画の予約及び／又は視聴の予約を実行する設定ステップと、
前記設定ステップにより実行された予約に係る情報、及び予め設定されたユーザに関するプロファイル情報を、該予約に係る録画又は該予約に係る視聴を実行する前に送信する送信ステップと、
複数の受信装置における前記予約に係る情報及び前記プロファイル情報に基づいて生成された、番組の予約状況に係る情報を受信する受信ステップとを有し、
前記予約状況に係る情報は、前記複数の受信装置から収集した前記プロファイル情報に基づいて分類されたユーザグループ毎に予約状況を予想した情報であることを特徴とする受信装置の制御方法。
【手続補正２】
【補正対象書類名】明細書
【補正対象項目名】発明の名称
【補正方法】変更
【補正の内容】
【発明の名称】受信装置及びその制御方法
【手続補正３】
【補正対象書類名】明細書
【補正対象項目名】０００９
【補正方法】変更
【補正の内容】
【０００９】
本発明は、番組の放送前あるいは放送の最中に、予想した視聴率や視聴者層を利用した各種サービスを用意する事が出来る受信装置及びその制御方法を提供することを目的とする。
【手続補正４】
【補正対象書類名】明細書
【補正対象項目名】００１０
【補正方法】変更
【補正の内容】
【００１０】
本発明の受信装置は、番組を受信する受信装置であって、番組の録画及び／又は視聴の予約を実行する設定手段と、前記設定手段により実行された予約に係る情報を、該予約に係る録画又は該予約に係る視聴を実行する前に送信する送信手段と、複数の受信装置における前記予約に係る情報に基づいて生成された、番組の予約状況に係る情報を受信する受信手段とを有し、前記予約状況に係る情報は、番組の放送日前に前記複数の受信装置から収集した前記予約に係る情報に基づいて、当該番組の放送日における予約状況を予想した情報であることを特徴とするものである。
【手続補正５】
【補正対象書類名】明細書
【補正対象項目名】００１１
【補正方法】変更
【補正の内容】
【００１１】
本発明の他の受信装置は、番組を受信する受信装置であって、番組の録画の予約及び／又は視聴の予約を実行する設定手段と、前記設定手段により実行された予約に係る情報、及び予め設定されたユーザに関するプロファイル情報を、該予約に係る録画又は該予約に係る視聴を実行する前に送信する送信手段と、複数の受信装置における前記予約に係る情報及び前記プロファイル情報に基づいて生成された、番組の予約状況に係る情報を受信する受信手段とを有し、前記予約状況に係る情報は、前記複数の受信装置から収集した前記プロファイル情報に基づいて分類されたユーザグループ毎に予約状況を予想した情報であることを特徴とするものである。
【手続補正６】
【補正対象書類名】明細書
【補正対象項目名】００１２
【補正方法】変更
【補正の内容】
【００１２】
また、本発明においては、前記予約状況に係る情報は、番組の録画の予約及び視聴の予約に係る情報で夫々重み付けを行って予想されることが好ましい。
【手続補正７】
【補正対象書類名】明細書
【補正対象項目名】００１３
【補正方法】変更
【補正の内容】
【００１３】
また、本発明においては、前記予約状況に係る情報は、放送予定の番組の特定の複数の時点における視聴予約及び録画予約の集計結果の変位により、当該番組の放送直前の視聴予約及び録画予約の状況を予想し、当該予想した予約状況を基に算出した予想視聴率であることが好ましい。
【手続補正８】
【補正対象書類名】明細書
【補正対象項目名】００１４
【補正方法】変更
【補正の内容】
【００１４】
本発明の制御方法は、番組を受信する受信装置の制御方法であって、番組の録画の予約及び／又は視聴の予約を実行する設定ステップと、前記設定ステップにより実行された予約に係る情報を、該予約に係る録画又は該予約に係る視聴を実行する前に送信する送信ステップと、複数の受信装置における前記予約に係る情報に基づいて生成された、番組の予約状況に係る情報を受信する受信ステップとを有し、前記予約状況に係る情報は、番組の放送日前に前記複数の受信装置から収集した前記予約に係る情報に基づいて、当該番組の放送日における予約状況を予想した情報であることを特徴とするものである。
【手続補正９】
【補正対象書類名】明細書
【補正対象項目名】００１５
【補正方法】変更
【補正の内容】
【００１５】
本発明の他の制御方法は、番組を受信する受信装置の制御方法であって、番組の録画の予約及び／又は視聴の予約を実行する設定ステップと、前記設定ステップにより実行された予約に係る情報、及び予め設定されたユーザに関するプロファイル情報を、該予約に係る録画又は該予約に係る視聴を実行する前に送信する送信ステップと、複数の受信装置における前記予約に係る情報及び前記プロファイル情報に基づいて生成された、番組の予約状況に係る情報を受信する受信ステップとを有し、前記予約状況に係る情報は、前記複数の受信装置から収集した前記プロファイル情報に基づいて分類されたユーザグループ毎に予約状況を予想した情報であることを特徴とするものである。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】変更
【補正の内容】
【００２５】
本発明によれば、ユーザがＤＴＶ装置などの受信装置において番組を選択する際に、従来からの番組関連情報のみからなるＥＰＧだけではなく、識別された多くのユーザ層による予約に係る情報を基に生成された番組の予約状況を得ることができ、よりユーザに意味のある番組選択が可能となる。